(57)【要約】【課題】  証明写真を作成する際に煩雑な編集操作が不要な証明写真作成システムを提供する。【解決手段】  操作入力手段（１０６、１０８）により証明写真のサイズまたは、証明写真の種類を指定するための証明写真指定データが入力され、かつ証明写真作成の対象となる人物像を含む画像が選択されると、該画像中の人物の顔及び頭部分を含む領域の部分画像を検出し、指定された証明写真の種類、あるいは指定されたサイズに応じて表示部１０８に証明写真の表示領域を表示するとともに、前記部分画像の顔の上下方向の向きに応じて、前記表示領域において顔の上下方向が一致し、かつ該表示領域に顔の大きさ及び位置が適合するように画像処理を行い、証明写真データを生成するＣＰＵを含む証明写真データ生成装置１０と、該証明写真データ生成装置から出力される証明写真データを取り込み印刷処理し、証明写真をプリントするプリンタ２０とを有する。【選択図】    図１
2007027835.tif 000002
【特許請求の範囲】
【請求項１】
証明写真の対象となる人物像を含む画像から証明写真を作成し、プリント出力する証明写真作成方法であって、
画像入力手段により画像データを読み込む第１のステップと、
操作入力手段により証明写真のサイズまたは、証明写真の種類を指定するための証明写真指定データを選択する第２のステップと、
第１のステップで読み込まれた画像データから画像を表示する第３のステップと、
表示手段に表示された画像のうち証明写真作成の対象となる人物像を含む画像を前記操作入力手段により選択する第４のステップと、
第４のステップで選択された画像中の人物の顔及び頭部分を含む領域の部分画像を検出する第５のステップと、
前記操作入力手段により指定された証明写真の種類、あるいは指定されたサイズに応じて処理手段により、証明写真の表示領域を表示手段に表示する第６のステップと、
前記処理手段により、前記検出された部分画像の顔の上下方向の向きに応じて、前記証明写真の表示領域において顔の上下方向が一致し、かつ該表示領域に顔の大きさ及び位置が適合するように画像を回転、拡大／縮小、移動の各処理を必要に応じて行い、証明写真データを生成し、前記表示手段における前記表示領域に該証明写真のコマを表示する第７のステップと、
プリンタにより前記処理手段から出力される証明写真データを取り込み印刷処理し、証明写真をプリントする第８のステップと、
を有することを特徴とする証明写真作成方法。
【請求項２】
さらに、前記表示手段の前記表示領域に表示された証明写真の位置がユーザの所望の結果であるか否かを確認し、所望の結果である場合には、第８のステップに移行し、所望の結果でない場合には、前記前記表示領域に表示された証明写真の画像を拡大／縮小、移動の微調整を行うことにより所望の結果を得て、第８のステップに移行する第９のステップを有することを特徴とする請求項１に記載の証明写真作成方法。
【請求項３】
人物像の背景が無地・均一で、顔が前記表示領域に対応するコマの中央付近に位置し、ある程度大きいという条件を満たした画像を、前記証明写真に使用する対象画像としたことを特徴とする請求項１または２のいずれかに記載の証明写真作成方法。
【請求項４】
証明写真の対象となる人物像を含む画像から証明写真を作成し、プリント出力する証明写真作成システムであって、
画像データを読み込む画像入力手段と、
証明写真のサイズまたは、証明写真の種類を指定するための証明写真指定データを選択する操作入力手段と、
予め証明写真の種類に応じた証明写真のサイズデータが格納されている第１の記憶手段と、
前記画像データを加工したデータを一時的に記憶する第２の記憶手段と、
証明写真の対象となる画像及び指定された証明写真の表示領域を表示する表示手段と、
前記操作入力手段により証明写真のサイズまたは、証明写真の種類を指定するための証明写真指定データが入力され、かつ前記画像データのうち証明写真作成の対象となる人物像を含む画像が選択されると、該画像中の人物の顔及び頭部分を含む領域の部分画像を検出し、指定された証明写真の種類、あるいは指定されたサイズに応じて前記表示手段に証明写真の表示領域を表示するとともに、前記検出された部分画像の顔の上下方向の向きに応じて、前記証明写真の表示領域において顔の上下方向が一致し、かつ該表示領域に顔の大きさ及び位置が適合するように画像処理を行い、証明写真データを生成する処理手段と、
前記処理手段から出力される証明写真データを取り込み印刷処理し、証明写真をプリントするプリンタと、
を有することを特徴とする証明写真作成システム。
【請求項５】
人物像の背景が無地・均一で、顔が前記表示領域に対応するコマの中央付近に位置し、ある程度大きいという条件を満たした画像を、前記証明写真に使用する対象画像としたことを特徴とする請求項４に記載の証明写真作成システム。
【発明の詳細な説明】
【技術分野】
【０００１】
本発明は、ディジタルカメラでの撮影画像を使用して、証明写真を作成してプリントする証明写真作成方法及び証明写真作成システムに関する。
【背景技術】
【０００２】
ディジタルカメラの画像を扱うディジタルプリント装置等のプリント装置に証明写真をプリントする機能を有するものが有る。このような従来のプリント装置において、証明写真を作成する際に、人物の撮影画像を表示装置の画面に表示し、画面上で画像のうち顔の部分を、証明写真のコマに割り当てる操作において、画像の回転・拡大／縮小・上下左右移動を行って決定する。顔がコマの中で、ちょうど良いサイズと位置になるまで、これらの編集操作を繰り返す。
撮影画像（原画像）の上下方向と、コマの中における顔の上下方向が一致しておらず、横向きの画像の場合は９０度、回転させる操作が必要となる。
【０００３】
また、表示装置の画面に表示されているコマの中に画像のうちの顔部分を適切に配置するために、拡大／縮小、移動の編集操作が必要となる。パスポート用の証明写真のように、コマ内での顔写真の位置が指定されており、きちんとその基準に合わせないとならないものもある。
また、各種証明写真を簡易に作成することができる証明写真作成システムが提案されている（例えば、特許文献１参照）。これは証明写真データ作成機能付きディジタルカメラと、該ディジタルカメラから出力された証明写真データを入力し、該入力した証明写真データを印刷出力する印刷装置とで構成された証明写真作成システムである。
【特許文献１】特開２００５−０３３５０１号公報
【発明の開示】
【発明が解決しようとする課題】
【０００４】
このように従来のディジタルプリント装置等の証明写真作成システムにあっては、証明写真を作成するに際し、原画像の回転・拡大／縮小・上下左右移動の編集操作を行って、調整することに手間がかかり、面倒であるという問題が有った。
また、特許文献１に記載の証明写真作成システムにあっては、ディジタルカメラの表示手段に証明写真用の矩形の枠及び顔の大きさを指定する楕円枠を表示させ、ユーザが証明写真を撮影するときに上記矩形の枠の中に被撮影者が入るように、かつ楕円枠の中に被撮影者の顔が入るように意識して撮影を行わなければならず、煩雑であるという問題が有る。
【０００５】
本発明は、このような事情に鑑みてなされたものであり、証明写真の作成を意識して、撮影をする必要がなく、かつ証明写真を作成する際に煩雑な編集操作が不要な証明写真作成方法及び証明写真作成システムを提供することを目的とする。
【課題を解決するための手段】
【０００６】
上記目的を達成するために請求項１に記載の発明は、証明写真の対象となる人物像を含む画像から証明写真を作成し、プリント出力する証明写真作成方法であって、画像入力手段により画像データを読み込む第１のステップと、操作入力手段により証明写真のサイズまたは、証明写真の種類を指定するための証明写真指定データを入力する第２のステップと、第１のステップで読み込まれた画像データから画像を表示する第３のステップと、表示手段に表示された画像のうち証明写真作成の対象となる人物像を含む画像を前記操作入力手段により選択する第４のステップと、第４のステップで選択された画像中の人物の顔及び頭部分を含む領域の部分画像を検出する第５のステップと、前記操作入力手段により指定された証明写真の種類、あるいは指定されたサイズに応じて処理手段により、証明写真の表示領域を表示手段に表示する第６のステップと、前記処理手段により、前記検出された部分画像の顔の上下方向の向きに応じて、前記証明写真の表示領域において顔の上下方向が一致し、かつ該表示領域に顔の大きさ及び位置が適合するように画像を回転、拡大／縮小、移動の各処理を必要に応じて行い、証明写真データを生成し、前記表示手段における前記表示領域に該証明写真のコマを表示する第７のステップと、プリンタにより前記処理手段から出力される証明写真データを取り込み印刷処理し、証明写真をプリントする第８のステップとを有することを特徴とする。
【０００７】
また、請求項２に記載の発明は、請求項１に記載の証明写真作成方法において、さらに、前記表示手段の前記表示領域に表示された証明写真の位置がユーザの所望の結果であるか否かを確認し、所望の結果である場合には、第８のステップに移行し、所望の結果でない場合には、前記前記表示領域に表示された証明写真の画像を拡大／縮小、移動の微調整を行うことにより所望の結果を得て、第８のステップに移行する第９のステップを有することを特徴とする。
【０００８】
また、請求項３に記載の発明は、請求項１または２のいずれかに記載の証明写真作成方法において、人物像の背景が無地・均一で、顔が前記表示領域に対応するコマの中央付近に位置し、ある程度大きいという条件を満たした画像を、前記証明写真に使用する対象画像としたことを特徴とする。
【０００９】
また、請求項４に記載の発明は、証明写真の対象となる人物像を含む画像から証明写真を作成し、プリント出力する証明写真作成システムであって、画像データを読み込む画像入力手段と、証明写真のサイズまたは、証明写真の種類を指定するための証明写真指定データを選択する操作入力手段と、予め証明写真の種類に応じた証明写真のサイズデータが格納されている第１の記憶手段と、前記画像データを加工したデータを一時的に記憶する第２の記憶手段と、証明写真の対象となる画像及び指定された証明写真の表示領域を表示する表示手段と、前記操作入力手段により証明写真のサイズまたは、証明写真の種類を指定するための証明写真指定データが入力され、かつ前記画像データのうち証明写真作成の対象となる人物像を含む画像が選択されると、該画像中の人物の顔及び頭部分を含む領域の部分画像を検出し、指定された証明写真の種類、あるいは指定されたサイズに応じて前記表示手段に証明写真の表示領域を表示するとともに、前記検出された部分画像の顔の上下方向の向きに応じて、前記証明写真の表示領域において顔の上下方向が一致し、かつ該表示領域に顔の大きさ及び位置が適合するように画像処理を行い、証明写真データを生成する処理手段と、前記処理手段から出力される証明写真データを取り込み印刷処理し、証明写真をプリントするプリンタとを有することを特徴とする証明写真作成システム。
【００１０】
また、請求項５に記載の発明は、請求項４に記載の証明写真作成システムにおいて、人物像の背景が無地・均一で、顔が前記表示領域に対応するコマの中央付近に位置し、ある程度大きいという条件を満たした画像を、前記証明写真に使用する対象画像としたことを特徴とする。
【発明の効果】
【００１１】
以上説明したように、本発明に係る証明写真作成方法及び証明写真作成システムによれば、証明写真の対象となる画像における人物像の顔または頭の画像領域を、自動的に（顔検出用ソフトウェアを使用して）検出し、そのデータを元にプリントする証明写真のサイズ、基準に適合する結果となるように画像処理（回転、拡大／縮小、移動）を行い、人物の顔を適切な位置に配置した証明写真を作成し、プリントするようにしたので、ユーザにより画像の回転、拡大／縮小、移動の操作を軽減または無くすことができる。
【００１２】
また、本発明に係る証明写真作成方法及び証明写真作成システムによれば、証明写真に使用する画像として、背景が無地・均一、顔が中央に位置することを条件とすることにより、簡易で安価な顔検出用ソフトウェアを採用することができ、コストの削減が図れる。
【発明を実施するための最良の形態】
【００１３】
以下、本発明の実施形態を、図面を参照して詳細に説明する。本発明の実施形態に係る証明写真作成システムの外観構成を図１に示す。同図に示すように、本発明の実施形態に係る証明写真作成システム１は、証明写真データ生成装置１０とケーブル４０を介して接続されるプリンタ２０とを有している。
【００１４】
証明写真作成システム１の電気的構成を図２に示す。同図において、証明写真作成システム１は、証明写真データ生成装置１０とプリンタ（ＰＲＴ）２０とを有しており、証明写真データ生成装置１０は、ユーザが選択した画像から証明写真データを生成する機能を有している。
また、プリンタ２０は、証明写真データ生成装置１０から出力される証明写真データを取り込み、印刷処理して証明写真をプリントする機能を有している。
【００１５】
証明写真データ生成装置１０は、ＣＰＵ１００と、補助記憶装置１０２と、ＲＡＭ１０４と、入力部１０６と、表示部１０８と、インターフェース１１０とを有しており、これらはバス１２０を介して相互に接続されている。
入力部１０６及び表示部１０８は、例えば、本実施形態ではタッチパネルで構成されている。該タッチパネルは画像編集用の各種操作ボタンが設けられており、メニュー画面、証明写真の対象となる画像、証明写真の表示領域、編集画像等、各種データが表示されるようになっている。入力部１０６及び表示部１０８は本発明の操作入力手段に、表示部１０８は本発明の表示手段に、それぞれ相当する。
【００１６】
操作ボタンとしては、画像を回転操作する回転操作ボタン、画像を移動させる移動操作ボタン、画像を拡大または縮小させる拡大／縮小ボタン、操作結果を確定させるためのＯＫボタン、操作結果をキャンセルするためのＮＧボタン等の操作ボタンが設けられている。
インターフェース１１０は、ディジタルカメラで撮影した画像データが記録されているメモリカード３０が装着されるコネクタ及びケーブルを含み、メモリカードから読み込んだ画像データを所定のフォーマットに変換する機能を有している。インターフェース１１０は、本発明の画像入力手段に相当する。
【００１７】
補助記憶装置１０２には、画像における人物像の顔または頭部分の画像領域を検出する顔検出用ソフトウェアを含む各種制御プログラム及び固定データが記憶されており、固定データとしては、証明写真の種類（免許証用、パスポート用等）に応じた証明写真のサイズデータが格納されている。補助記憶装置１０２は本発明の第１の記憶手段に相当する。
【００１８】
ＲＡＭ１０４にはメモリカード３０から読み込まれた画像データが記憶されるとともに、証明写真の対象となっている画像の加工したデータが格納される。ＲＡＭ１０４は、本発明の第２の記憶手段に相当する。
なお、本実施形態では、人物像の背景が無地・均一で、顔が前記表示領域に対応するコマの中央付近に位置し、ある程度大きいという条件を満たした画像を、前記証明写真に使用する対象画像とするようにしている。すなわち、本来、証明写真に使用されるような顔写真画像を使用することを前提とした上で、システムで使用する証明写真としての対象画像に上記条件を満たすもののみ実際に使用するようにしている。
【００１９】
ＣＰＵ１００は、補助記憶装置１０２に格納されているプログラムを実行することにより各部の制御を行う。すなわち、ＣＰＵ１００は、入力部１０６（タッチパネル）により証明写真のサイズまたは、証明写真の種類を指定するための証明写真指定データが入力され、かつ前記画像データのうち証明写真作成の対象となる人物像を含む画像が選択された際に、該画像中の人物の顔及び頭部分を含む領域の部分画像を補助記憶装置１０２に格納されている顔検出用ソフトウェアを実行することにより検出し、指定された証明写真の種類、あるいは指定されたサイズに応じて表示部１０８（タッチパネル）に証明写真の表示領域を表示するとともに、前記検出された部分画像の顔の上下方向の向きに応じて、前記証明写真の表示領域において顔の上下方向が一致し、かつ該表示領域に顔の大きさ及び位置が適合するように画像を回転、拡大／縮小、移動の各処理を必要に応じて行い、証明写真データを生成し、表示部１０８における上記表示領域に前記証明写真データに基づいて証明写真のコマを表示する。ＣＰＵ１００は、本発明の処理手段に相当する。
【００２０】
次に、図１及び図２に示した本発明の実施形態に係る証明写真作成システムの動作を図３及び図４を参照して説明する。これらの図において、証明写真データ生成装置１０に設けられたコネクタ（図示せず）にメモリカード３０が装着されたか否かが判定され（ステップ２００）、メモリカード３０が上記コネクタに装着されると、ＣＰＵ１００は、メモリカード３０に記録されている画像データを、インターフェース１１０を介してＲＡＭ１０４に取り込む（ステップ２０１）。
【００２１】
次いで、ユーザより入力部１０６により、すなわちタッチパネルを操作することにより証明写真のサイズまたは、証明写真の種類を指定するための証明写真指定データが入力されると、この証明写真指定データはＲＡＭ１０４の所定のメモリエリアに格納される（ステップ２０２）。メモリカード３０からＲＡＭ１０４に読み込まれ、格納されていた画像データが読み出され、表示部１０８に対応する画像が表示され、ユーザが表示画面上に表示された複数の画像から証明写真として使用する画像を選択する（ステップ２０３）。
ＣＰＵ１００は、選択された画像における人物像の顔または頭部分とその周辺領域を含むの画像領域（部分画像）を検出する（ステップ２０４）。
【００２２】
次いで、ステップ２０２でユーザが指定した証明写真のサイズデータを、証明写真の種類を指定した場合には補助記憶装置１０２より、また証明写真のサイズを直接入力した場合にはＲＡＭ１０４より読み出し、表示部１０８の画面上に証明写真の表示領域を設定し、表示する（ステップ２０６）。次いで、上記表示領域上での証明写真の対象画像である部分画像を表示した場合における人物の顔の長さを算出する（ステップ２０７）。
【００２３】
次いで、検出された部分画像を表示部１０８の画面上に設定された表示領域に適合させるように画像処理を行う（ステップ２０８）。すなわち、検出された部分画像の顔の上下方向の向きに応じて、証明写真の表示領域において顔の上下方向が一致し、かつ該表示領域に顔の大きさ及び位置が適合するように画像を回転、拡大／縮小、移動、中心線合わせ等の処理を行う。この処理終了後に上記表示領域に画像を表示する（ステップ２０９）。
【００２４】
表示された画像が証明写真として適当であるか否かが判定される（ステップ２１０）。表示された画像が証明写真として適当である場合、すなわちユーザの所望の結果である場合には、ステップ２１２に移行する。
表示された画像が証明写真として適当でない場合、すなわちユーザの所望の結果と異なる場合には、ユーザによる画像の配置の微調整が、回転、拡大／縮小、移動を行わせる各種操作ボタンを操作することにより所望の結果を得るまで行われ、所望の結果を得て次のステップ２１２に移行する（ステップ２１１）。
【００２５】
ステップ２１２では、ユーザにより印刷枚数の指定が行われる（ステップ２１２）。次いで、指定した印刷枚数で良いか否かが判定される（ステップ２１３）。ステップ２０８で画像処理した処理データに基づいて、すなわち、画像の回転、拡大／縮小、移動の各処理データに基づいて原画像から証明写真として必要な画像領域を切り出す（ステップ２１４）。      このとき、顔が表示部１０６の表示領域の中央に位置させるようにする。
次いで、プリント時の印刷用紙上のコマに適合させるように拡大／縮小し、印刷の印刷領域に適合させ、証明写真をプリント出力する（ステップ２１５）。
なお、人物像の背景を無地・均一にしてもよい。
【００２６】
以上、本発明の実施形態によれば、証明写真の対象となる画像における人物像の顔または頭の画像領域を、自動的に（顔検出用ソフトウェアを使用して）検出し、そのデータを元にプリントする証明写真のサイズ、基準に適合する結果となるように画像処理（回転、拡大／縮小、移動）を行い、人物の顔を適切な位置に配置した証明写真を作成し、プリントするようにしたので、証明写真用の画像を取得するのに証明写真の作成を意識して、撮影をする必要がなく、かつ証明写真を作成する際に煩雑な編集操作が不要となる。
また、証明写真の対象となる画像における人物像の顔または頭の画像領域を、自動的に検出し、そのデータを元にプリントする証明写真のサイズ、基準に適合する結果となるように画像処理（回転、拡大／縮小、移動）した結果を、一旦ユーザが確認できるようにし、ユーザの所望の結果が得られない場合には、画像の拡大／縮小、移動の微調整を行い所望の結果を得るようにしたので、証明写真の対象となる画像における人物像の顔または頭の画像領域を検出するのに失敗しても従来技術と比較して何ら悪影響がないという効果も有る。
さらに、本実施形態では、人物像の背景が無地・均一で、顔が前記表示領域に対応するコマの中央付近に位置し、ある程度大きいという条件を満たした画像を、前記証明写真に使用する対象画像とするようにしたので、すなわち、本来、証明写真に使用されるような顔写真画像を使用することを前提とした上で、システムで使用する証明写真としての対象画像に上記条件を満たすもののみ実際に使用するようにしたので、簡易で安価な顔検出ソフトウェアでも対応可能となるという効果が有る。
【図面の簡単な説明】
【００２７】
【図１】本発明の実施形態に係る証明写真作成システムの外観構成を示す斜視図。
【図２】本発明の実施形態に係る証明写真作成システムの電気的構成を示すブロック図。
【図３】図２に示した本発明の実施形態に係る証明写真作成システムの動作を示すフローチャート。
【図４】図２に示した本発明の実施形態に係る証明写真作成システムの動作を示すフローチャート。
【符号の説明】
【００２８】
１…証明写真作成システム、１０…証明写真データ生成装置、２０…プリンタ、３０…メモリカード、４０…ケーブル、１００…ＣＰＵ、１０２…補助記憶装置、１０４…ＲＡＭ、１０６…入力部、１０８…表示部、１１０…インターフェース
【図１】
2007027835.tif 000003
【図２】
2007027835.tif 000004
【図３】
2007027835.tif 000005
【図４】
2007027835.tif 000006